【手続補正書】
【提出日】平成27年9月4日(2015.9.4)
【手続補正１】
【補正対象書類名】明細書
【補正対象項目名】０００３
【補正方法】変更
【補正の内容】
【０００３】
さらに、デジタルカメラには高画質動画撮影機能などが搭載され、静止画ばかりではなく動画撮影も行われており、光学防振機構に対する性能向上が要求されている。そして、光学防振機構においては主に望遠側における手ぶれ補正が期待されているが、動画撮影など撮影条件によっては広角側においても防振効果が要求される。
【手続補正２】
【補正対象書類名】明細書
【補正対象項目名】００３７
【補正方法】変更
【補正の内容】
【００３７】
さらに、偏芯収差が増加すると、像面湾曲の非対称性が大きくなる。つまり、偏芯量が少なく共軸に近い場合には略光軸対称であった像面湾曲が、防振レンズ群の偏芯方向と偏芯量に依存し非対称性を強める。
【手続補正３】
【補正対象書類名】明細書
【補正対象項目名】００６４
【補正方法】変更
【補正の内容】
【００６４】
図６において、画像が表示される画面は４つの領域１２〜１５に分割されている。いま、偏芯防振機構によって防振レンズ群が所定の偏芯状態にあるとする。この際、図４および図５で説明したように歪曲収差が生じているものとする。図６において領域１２の中心となるアジムス方向では、図４に示す画角範囲８で示す歪曲収差の状態であり、収差図では図５（Ａ）に該当する。
【手続補正４】
【補正対象書類名】明細書
【補正対象項目名】００７２
【補正方法】変更
【補正の内容】
【００７２】
そこで、アジムス範囲１６内においては、図５（Ａ）および図５（Ｂ）に示す２つの歪曲収差を像高毎にアジムス方向に補間する。同様にして、図１に示すアジムス範囲１７においては、図４に示す画角範囲９と画角範囲７および１１（つまり、図５（Ｃ）と図５（Ｂ））によって同様に補間を行う。
【手続補正５】
【補正対象書類名】明細書
【補正対象項目名】００７５
【補正方法】変更
【補正の内容】
【００７５】
図７において、”Ａ”〜”Ｃ”はそれぞれ図５（Ａ）〜図５（Ｃ）に示す収差に対応し、レンズ偏芯方向と同逆方向および直交方向の３通りの歪曲収差を示している。アジムス方向が角度θである軸は、図６に示すアジムス方向１８である。また、像高ｈは、図６に示す像高１９である。図５（Ａ）〜図５（Ｃ）（つまり、図６に示すアジムス方向以外の歪曲）は３通りの歪曲収差に基づいて補間計算によって求める。
【手続補正６】
【補正対象書類名】明細書
【補正対象項目名】００８９
【補正方法】変更
【補正の内容】
【００８９】
［第３の実施形態］
続いて、本発明の第３の実施形態によるカメラにおける歪曲収差補正について説明する。なお、第３の実施形態によるカメラの構成は第１の実施形態と同様である。
【手続補正７】
【補正対象書類名】明細書
【補正対象項目名】００９４
【補正方法】変更
【補正の内容】
【００９４】
第３の実施形態のように、４５°間隔で３方向のアジムス方向において歪曲収差を保持するようにすれば、補正のための演算量は増加するものの、歪曲収差の補正精度が向上する。
【手続補正８】
【補正対象書類名】明細書
【補正対象項目名】０１２６
【補正方法】変更
【補正の内容】
【０１２６】
防振レンズ群１３０４の偏芯量と偏芯するアジムス方向とに応じて、画像内のいずれのアジムス方向およびいずれかの像高において、Ｒ又はＢの色にじみがどのように強くなるか又は弱くなるかという状態が判る。続いて、画像処理部は露光終了時刻における色にじみの局所的な分布を取得する。
【手続補正９】
【補正対象書類名】明細書
【補正対象項目名】０１５５
【補正方法】変更
【補正の内容】
【０１５５】
露光時間中に動径方向に保つ偏芯量２００３が所定量よりも大きいので、像面湾曲は常に所定量発生している。これを維持した状態で円周方向に所定のアジムス方向の方位角範囲１９０３で偏芯が生ずる。このため、像面湾曲は光軸周りに回転する。なお、点２００２は露光時間の中心時刻における防振レンズ群１３０４の偏芯位置を示す。
【手続補正１０】
【補正対象書類名】明細書
【補正対象項目名】０１９６
【補正方法】変更
【補正の内容】
【０１９６】
防振レンズ群１３０４の偏芯量と偏芯するアジムス方向とに応じて、画像内のいずれのアジムス方向およびいずれかの像高において、Ｒ又はＢの歪曲収差がＧの歪曲収差に対してどのように強くなるか又は弱くなるかという状態が判る。続いて、画像処理部は露光終了時刻における色ずれの局所的な分布を決定する。
【手続補正１１】
【補正対象書類名】特許請求の範囲
【補正対象項目名】全文
【補正方法】変更
【補正の内容】
【特許請求の範囲】
【請求項１】
光学的な歪曲収差が残存する撮影光学系を備え、前記撮影光学系を通過した光学像に応じた画像信号を得る撮像装置であって、
前記画像信号に対して補正量に応じて幾何学的な座標変換および補間処理を行って前記歪曲収差を補正する補正手段と、
前記撮影光学系に備えられた所定のレンズ群を偏芯させて、ブレの影響を光学的に補正する光学防振機構と、
前記レンズ群の偏芯に応じて生じる前記歪曲収差の軸非対称性に基づいて、前記レンズ群の偏芯方向およびその偏芯量から前記歪曲収差を補正する補正量を非対称に変更する変更手段とを有することを特徴とする撮像装置。
【請求項２】
前記変更手段は、前記レンズ群の偏芯によって生じる前記歪曲収差の軸非対称性を、少なくとも前記レンズ群が偏芯して移動する方向、前記レンズ群が偏芯して移動する方向と逆方向、およびそれ以外の方向の３つの方向における歪曲収差量と、少なくとも前記３つの方向における前記レンズ群の偏芯量に対応する歪曲収差量とを予めデータとして保持し、前記レンズ群の偏芯量と移動方向に基づいて、前記データから前記画像信号が示す画像における所定の位置の歪曲収差を補正するための補正量を算出することを特徴とする請求項１に記載の撮像装置。
【請求項３】
光学防振のための前記レンズ群の偏芯量が所定の偏芯量よりも小さい場合に、前記補正手段は非対称な歪曲収差の補正を行わないことを特徴とする請求項１又は２に記載の撮像装置。
【請求項４】
前記変更手段は、前記補正量を算出する際、保持した前記歪曲収差量を用いて、前記撮影光学系の光軸を中心とする方位角方向に補間計算を行うことを特徴とする請求項２に記載の撮像装置。
【請求項５】
撮影光学系を通過した光学像に応じた画像信号を得る撮像装置であって、
前記画像信号が示す画像における特定の画素の色成分の彩度を変更して色にじみを補正する補正手段と、
前記撮影光学系に備えられた所定のレンズ群を偏芯させて、ブレの影響を光学的に補正する光学防振機構と、
前記レンズ群の偏芯に応じて生じる色成分毎の像面湾曲の軸非対称性に基づいて、前記レンズ群が偏芯する径方向およびその偏芯量から色にじみの補正量を非対称に変更する変更手段とを有することを特徴とする撮像装置。
【請求項６】
前記変更手段は、前記レンズ群の偏芯によって色成分毎の像面湾曲が光軸に対して非対称に変化する際、色光成分毎のデフォーカス量の変化によって生じる色にじみ量に関するデータを、座標の各々について偏芯方向および偏芯量に応じて保持することを特徴とする請求項５に記載の撮像装置。
【請求項７】
前記変更手段は、前記レンズ群の偏芯の径方向を軸とした際、この軸に関してその一方の側のみの前記データを保持することを特徴とする請求項６に記載の撮像装置。
【請求項８】
撮影光学系を通過した光学像に応じた画像信号を得る撮像装置であって、
前記画像信号が示す画像における特定の色成分の歪曲を拡大又は縮小処理によって補正する補正手段と、
前記撮影光学系に備えられた所定のレンズ群を偏芯させて、ブレの影響を光学的に補正する光学防振機構と、
前記レンズ群の偏芯に応じて生じる色成分毎の歪曲収差の光軸に対する非対称性に基づいて、前記レンズ群が偏芯する径方向およびその偏芯量から倍率色収差の補正量を非対称に変更する変更手段とを有することを特徴とする撮像装置。
【請求項９】
前記変更手段は、前記レンズ群の偏芯によって色成分毎の歪曲が光軸に対して非対称に変化する際、色光成分毎の歪曲の変化によって生じる色ずれ量に関するデータを、座標の各々について偏芯方向および偏芯量に応じて保持することを特徴とする請求項８に記載の撮像装置。
【請求項１０】
前記変更手段は、前記レンズ群の偏芯の径方向を軸とした際、この軸に関してその一方の側のみの前記データを保持することを特徴とする請求項９に記載の撮像装置。
【請求項１１】
光学的な歪曲収差が残存する撮影光学系を備え、前記撮影光学系を通過した光学像に応じた画像信号を得る撮像装置の制御方法であって、
前記画像信号に対して補正量に応じて幾何学的な座標変換および補間処理を行って前記歪曲収差を補正する補正ステップと、
前記撮影光学系に備えられた所定のレンズ群を偏芯させて、ブレの影響を光学的に補正する光学防振ステップと、
前記レンズ群の偏芯に応じて生じる前記歪曲収差の軸非対称性に基づいて、前記レンズ群の偏芯方向およびその偏芯量から前記歪曲収差を補正する補正量を非対称に変更する変更ステップとを有することを特徴とする制御方法。
【請求項１２】
撮影光学系を通過した光学像に応じた画像信号を得る撮像装置の制御方法であって、
前記画像信号が示す画像における特定の画素の色成分の彩度を変更して色にじみを補正する補正ステップと、
前記撮影光学系に備えられた所定のレンズ群を偏芯させて、ブレの影響を光学的に補正する光学防振ステップと、
前記レンズ群の偏芯に応じて生じる色成分毎の像面湾曲の軸非対称性に基づいて、前記レンズ群が偏芯する径方向およびその偏芯量から色にじみの補正量を非対称に変更する変更ステップとを有することを特徴とする制御方法。
【請求項１３】
撮影光学系を通過した光学像に応じた画像信号を得る撮像装置の制御方法であって、
前記画像信号が示す画像における特定の色成分の歪曲を拡大又は縮小処理によって補正する補正ステップと、
前記撮影光学系に備えられた所定のレンズ群を偏芯させて、ブレの影響を光学的に補正する光学防振ステップと、
前記レンズ群の偏芯に応じて生じる色成分毎の歪曲収差の光軸に対する非対称性に基づいて、前記レンズ群が偏芯する径方向およびその偏芯量から倍率色収差の補正量を非対称に変更する変更ステップとを有することを特徴とする制御方法。
【請求項１４】
光学的な歪曲収差が残存する撮影光学系を備え、前記撮影光学系を通過した光学像に応じた画像信号を得る撮像装置で用いられる制御プログラムであって、
前記撮像装置が備えるコンピュータに、
前記画像信号に対して補正量に応じて幾何学的な座標変換および補間処理を行って前記歪曲収差を補正する補正ステップと、
前記撮影光学系に備えられた所定のレンズ群を偏芯させて、ブレの影響を光学的に補正する光学防振ステップと、
前記レンズ群の偏芯に応じて生じる前記歪曲収差の軸非対称性に基づいて、前記レンズ群の偏芯方向およびその偏芯量から前記歪曲収差を補正する補正量を非対称に変更する変更ステップとを実行させることを特徴とする制御プログラム。
【請求項１５】
撮影光学系を通過した光学像に応じた画像信号を得る撮像装置で用いられる制御プログラムであって、
前記撮像装置が備えるコンピュータに、
前記画像信号が示す画像における特定の画素の色成分の彩度を変更して色にじみを補正する補正ステップと、
前記撮影光学系に備えられた所定のレンズ群を偏芯させて、ブレの影響を光学的に補正する光学防振ステップと、
前記レンズ群の偏芯に応じて生じる色成分毎の像面湾曲の軸非対称性に基づいて、前記レンズ群が偏芯する径方向およびその偏芯量から色にじみの補正量を非対称に変更する変更ステップとを実行させることを特徴とする制御プログラム。
【請求項１６】
撮影光学系を通過した光学像に応じた画像信号を得る撮像装置で用いられる制御プログラムであって、
前記撮像装置が備えるコンピュータに、
前記画像信号が示す画像における特定の色成分の歪曲を拡大又は縮小処理によって補正する補正ステップと、
前記撮影光学系に備えられた所定のレンズ群を偏芯させて、ブレの影響を光学的に補正する光学防振ステップと、
前記レンズ群の偏芯に応じて生じる色成分毎の歪曲収差の光軸に対する非対称性に基づいて、前記レンズ群が偏芯する径方向およびその偏芯量から倍率色収差の補正量を非対称に変更する変更ステップとを実行させることを特徴とする制御プログラム。